【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
チャネルフィードバックを要求するための装置であって、
チャネルフィードバック命令を記憶するメモリと、
前記メモリに結合された少なくとも１つのプロセッサと
を備え、前記少なくとも１つのプロセッサは、
チャネルフィードバックを求める要求を生成すること、ここにおいて、前記要求は、第２のフォーマットとは異なる第１のフォーマットを前記要求が使用することを特定するインジケータを含み、前記インジケータは、前記第２のフォーマットによって定義されたレガシー局（ＳＴＡ）のためのアソシエーション識別子フィールドの一部である、ＳＴＡ情報フィールドの最上位ビット（ＭＳＢ）に対応し、前記インジケータは、前記第２のフォーマットを使用して通信するＳＴＡに割り当てられたアソシエーション識別子と一致しない前記アソシエーション識別子をもたらす値に設定される、と、
チャネルフィードバックを求める前記要求をＳＴＡに送信することと、
前記ＳＴＡからチャネルフィードバックを受信することと
を行うための前記チャネルフィードバック命令を実行するように構成される、装置。
【請求項２】
前記少なくとも１つのプロセッサは、前記インジケータに基づいて、前記要求が超高スループット（ＶＨＴ）ＳＴＡを対象とすることを前記ＶＨＴ ＳＴＡが決定することを避けるために、前記第２のフォーマットを使用して通信する少なくとも１つの前記ＶＨＴ ＳＴＡに、前記アソシエーション識別子のうちの少なくとも１つを割り当てるための前記チャネルフィードバック命令を実行するようにさらに構成される、請求項１に記載の装置。
【請求項３】
前記少なくとも１つのプロセッサは、前記要求が前記第１のフォーマットのものであることを示すサウンディングダイアログトークンを前記要求に含むように、チャネルフィードバックを求める前記要求を生成するための前記チャネルフィードバック命令を実行するようにさらに構成される、請求項１に記載の装置。
【請求項４】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項３に記載の装置。
【請求項５】
前記少なくとも１つのプロセッサは、前記チャネルフィードバックが要求される部分帯域幅を示すために、チャネルフィードバックを求める前記要求を生成するための前記チャネルフィードバック命令を実行するように構成される、請求項１に記載の装置。
【請求項６】
前記要求は、始点リソースユニットおよび終点リソースユニットとして前記部分帯域幅を示す、請求項５に記載の装置。
【請求項７】
前記少なくとも１つのプロセッサは、前記チャネルフィードバックを表す行列についてのトーングループ化を示すトーングループ化ファクタを特定するために、チャネルフィードバックを求める前記要求を生成するための前記チャネルフィードバック命令を実行するように構成される、請求項１に記載の装置。
【請求項８】
前記少なくとも１つのプロセッサは、前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限するための前記チャネルフィードバック命令を実行するようにさらに構成される、請求項１に記載の装置。
【請求項９】
チャネルフィードバックを要求するための方法であって、
アクセスポイントによって、チャネルフィードバックを求める要求を生成すること、前記要求は、第２のフォーマットとは異なる第１のフォーマットを前記要求が使用することを特定するインジケータを含み、前記インジケータは、前記第２のフォーマットによって定義されたレガシー局（ＳＴＡ）のためのアソシエーション識別子フィールドの一部である、ＳＴＡ情報フィールドの最上位ビット（ＭＳＢ）に対応し、前記インジケータは、前記第２のフォーマットを使用して通信するＳＴＡに割り当てられたアソシエーション識別子と一致しない前記アソシエーション識別子をもたらす値に設定される、と、
前記アクセスポイントによって、チャネルフィードバックを求める前記要求をＳＴＡに送信することと、
前記アクセスポイントによって、前記ＳＴＡから、前記要求に基づいてチャネルフィードバックを受信することと
を備える、方法。
【請求項１０】
前記インジケータに基づいて、前記要求が超高スループット（ＶＨＴ）ＳＴＡを対象とすることを前記ＶＨＴ ＳＴＡが決定することを避けるために、前記第２のフォーマットを使用して通信する少なくとも１つの前記ＶＨＴ ＳＴＡに、前記アソシエーション識別子のうちの少なくとも１つを割り当てることをさらに備える、請求項９に記載の方法。
【請求項１１】
前記要求が前記第１のフォーマットのものであることを示すサウンディングダイアログトークンを前記要求に含むように、チャネルフィードバックを求める前記要求を生成することをさらに備える、請求項９に記載の方法。
【請求項１２】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項９に記載の方法。
【請求項１３】
チャネルフィードバックを求める前記要求は、前記チャネルフィードバックが要求される部分帯域幅を含む、請求項９に記載の方法。
【請求項１４】
前記要求は、始点リソースユニットおよび終点リソースユニットとして前記部分帯域幅を示す、請求項１３に記載の方法。
【請求項１５】
チャネルフィードバックを求める前記要求は、前記チャネルフィードバックを表す行列についてのトーングループ化を示すトーングループ化ファクタを特定する、請求項９に記載の方法。
【請求項１６】
前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限することをさらに備える、請求項９に記載の方法。
【請求項１７】
チャネルフィードバックを報告するための装置であって、
チャネルフィードバック命令を記憶するメモリと、
前記メモリに結合された少なくとも１つのプロセッサと
を備え、前記少なくとも１つのプロセッサは、
チャネルフィードバックを報告するための要求を受信すること、ここにおいて、前記要求は、第２のフォーマットとは異なる第１のフォーマットを前記要求が使用することを特定するインジケータを含み、前記インジケータは、前記第２のフォーマットによって定義されたレガシー局（ＳＴＡ）のためのアソシエーション識別子フィールドの一部である、ＳＴＡ情報フィールドの最上位ビット（ＭＳＢ）に対応し、前記インジケータは、前記第２のフォーマットを使用して通信するＳＴＡに割り当てられたアソシエーション識別子と一致しない前記アソシエーション識別子をもたらす値に設定される、と、
前記要求から、チャネル帯域幅の一部分についての前記チャネルフィードバックを報告することに関連した１つまたは複数のパラメータを決定することと、
前記１つまたは複数のパラメータに基づいて前記チャネルフィードバックを生成することと、
前記要求に応答して前記チャネルフィードバックを送信することと
を行うための前記チャネルフィードバック命令を実行するように構成される、装置。
【請求項１８】
前記少なくとも１つのプロセッサは、前記要求におけるサウンディングダイアログトークン中のビットに少なくとも部分的に基づいて前記要求が前記第１のフォーマットのものであることを決定するための前記チャネルフィードバック命令を実行するようにさらに構成される、請求項１７に記載の装置。
【請求項１９】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項１８に記載の装置。
【請求項２０】
前記少なくとも１つのパラメータは、前記チャネルフィードバックを報告するための部分帯域幅を示し、前記少なくとも１つのプロセッサは、前記部分帯域幅についての前記チャネルフィードバックを決定することに少なくとも部分的に基づいて、前記チャネルフィードバックを生成するための前記チャネルフィードバック命令を実行するように構成される、請求項１７に記載の装置。
【請求項２１】
前記要求は、前記部分帯域幅の始点リソースユニットおよび終点リソースユニットを示す、請求項２０に記載の装置。
【請求項２２】
前記要求は、前記チャネルフィードバックを報告するためのトーングループ化ファクタを示し、前記少なくとも１つのプロセッサは、前記トーングループ化ファクタに基づいて前記チャネル帯域幅中のサブキャリアの一部分についての前記チャネルフィードバックを生成するための前記チャネルフィードバック命令を実行するように構成される、請求項１７に記載の装置。
【請求項２３】
チャネルフィードバックを報告するための方法であって、
局（ＳＴＡ）によって、アクセスポイントから、チャネルフィードバックを報告するための要求を受信すること、ここにおいて、前記要求は、第２のフォーマットとは異なる第１のフォーマットを前記要求が使用することを特定するインジケータを含み、前記インジケータは、前記第２のフォーマットによって定義されたレガシーＳＴＡのためのアソシエーション識別子フィールドの一部である、ＳＴＡ情報フィールドの最上位ビット（ＭＳＢ）に対応し、前記インジケータは、前記第２のフォーマットを使用して通信するＳＴＡに割り当てられたアソシエーション識別子と一致しない前記アソシエーション識別子をもたらす値に設定される、と、
前記ＳＴＡによっておよび前記要求から、チャネル帯域幅の一部分についての前記チャネルフィードバックを報告することに関連した１つまたは複数のパラメータを決定することと、
前記ＳＴＡによって、前記１つまたは複数のパラメータに基づいて前記チャネルフィードバックを生成することと、
前記ＳＴＡによって、前記アクセスポイントに、前記要求に応答して前記チャネルフィードバックを送信することと
を備える、方法。
【請求項２４】
前記要求におけるサウンディングダイアログトークン中のビットに少なくとも部分的に基づいて前記要求が前記第１のフォーマットのものであることを決定することをさらに備える、請求項２３に記載の方法。
【請求項２５】
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、請求項２４に記載の方法。
【請求項２６】
前記少なくとも１つのパラメータは、前記チャネルフィードバックを報告するための部分帯域幅を示し、前記チャネルフィードバックを生成することは、前記部分帯域幅についての前記チャネルフィードバックを決定することに少なくとも部分的に基づく、請求項２３に記載の方法。
【手続補正２】
【補正対象書類名】明細書
【補正対象項目名】００５９
【補正方法】変更
【補正の内容】
【００５９】
[0065]  前述の説明は例示的な態様を示すが、添付の特許請求の範囲によって定義されるような本開示の範囲から逸脱することなく、本明細書において様々な変更および修正が行われることができることに留意されたい。本明細書で説明された態様に従った方法の請求項の機能、ステップ、および／またはアクションは、特定の順序で実施される必要はない。さらに、ある特定の態様は、単数形で説明または特許請求され得るが、単数形への限定が明記されていない限り、複数形が考慮されている。
以下に、本願出願の当初の特許請求の範囲に記載された発明を付記する。
［Ｃ１］
チャネルフィードバックを要求するための装置であって、
チャネルフィードバック命令を記憶するメモリと、
前記メモリに結合された少なくとも１つのプロセッサと、
を備え、ここにおいて、前記少なくとも１つのプロセッサは、
チャネルフィードバックを求める要求を生成することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
チャネルフィードバックを求める前記要求をＳＴＡに送信することと、
前記ＳＴＡからチャネルフィードバックを受信することと
を行うための前記チャネルフィードバック命令を実行するように構成される、装置。
［Ｃ２］
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、［Ｃ１］に記載の装置。
［Ｃ３］
前記少なくとも１つのプロセッサは、前記インジケータに基づいて超高スループット（ＶＨＴ）ＳＴＡが前記要求を受信することを避けるために、前記第２のフォーマットを使用して通信する少なくとも１つの前記ＶＨＴ ＳＴＡに、前記アソシエーション識別子のうちの少なくとも１つを割り当てるための前記チャネルフィードバック命令を実行するようにさらに構成される、［Ｃ２］に記載の装置。
［Ｃ４］
前記少なくとも１つのプロセッサは、前記要求が前記第１のフォーマットのものであることを示すサウンディングダイアログトークンを前記要求に含むように、チャネルフィードバックを求める前記要求を生成するための前記チャネルフィードバック命令を実行するようにさらに構成される、［Ｃ１］に記載の装置。
［Ｃ５］
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、［Ｃ４］に記載の装置。
［Ｃ６］
前記少なくとも１つのプロセッサは、前記チャネルフィードバックが要求される部分帯域幅を示すために、チャネルフィードバックを求める前記要求を生成するための前記チャネルフィードバック命令を実行するように構成される、［Ｃ１］に記載の装置。
［Ｃ７］
前記要求は、始点リソースユニットおよび終点リソースユニットとして前記部分帯域幅を示す、［Ｃ６］に記載の装置。
［Ｃ８］
前記少なくとも１つのプロセッサは、前記チャネルフィードバックを表す行列についてのトーングループ化を示すトーングループ化ファクタを特定するために、チャネルフィードバックを求める前記要求を生成するための前記チャネルフィードバック命令を実行するように構成される、［Ｃ１］に記載の装置。
［Ｃ９］
前記少なくとも１つのプロセッサは、前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限するための前記チャネルフィードバック命令を実行するようにさらに構成される、［Ｃ１］に記載の装置。
［Ｃ１０］
チャネルフィードバックを要求するための方法であって、
アクセスポイントによって、チャネルフィードバックを求める要求を生成することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
前記アクセスポイントによって、チャネルフィードバックを求める前記要求をＳＴＡに送信することと、
前記アクセスポイントによって、前記ＳＴＡから、前記要求に基づいてチャネルフィードバックを受信することと
を備える、方法。
［Ｃ１１］
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、［Ｃ１０］に記載の方法。
［Ｃ１２］
前記インジケータに基づいて超高スループット（ＶＨＴ）ＳＴＡが前記要求を受信することを避けるために、前記第２のフォーマットを使用して通信する少なくとも１つの前記ＶＨＴ ＳＴＡに、前記アソシエーション識別子のうちの少なくとも１つを割り当てることをさらに備える、［Ｃ１１］に記載の方法。
［Ｃ１３］
前記要求が前記第１のフォーマットのものであることを示すサウンディングダイアログトークンを前記要求に含むように、チャネルフィードバックを求める前記要求を生成することをさらに備える、［Ｃ１０］に記載の方法。
［Ｃ１４］
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、［Ｃ１３］に記載の方法。
［Ｃ１５］
チャネルフィードバックを求める前記要求は、前記チャネルフィードバックが要求される部分帯域幅を含む、［Ｃ１０］に記載の方法。
［Ｃ１６］
前記要求は、始点リソースユニットおよび終点リソースユニットとして前記部分帯域幅を示す、［Ｃ１５］に記載の方法。
［Ｃ１７］
チャネルフィードバックを求める前記要求は、前記チャネルフィードバックを表す行列についてのトーングループ化を示すトーングループ化ファクタを特定する、［Ｃ１０］に記載の方法。
［Ｃ１８］
前記インジケータに基づいて超高スループット（ＶＨＴ）ＳＴＡが前記要求を受信することを避けるために、前記第２のフォーマットを使用して通信する１つまたは複数の前記ＶＨＴ ＳＴＡに割り当てられたアソシエーション識別子を制限することをさらに備える、［Ｃ１０］に記載の方法。
［Ｃ１９］
チャネルフィードバックを報告するための装置であって、
チャネルフィードバック命令を記憶するメモリと、
前記メモリに結合された少なくとも１つのプロセッサと、
を備え、ここにおいて、前記少なくとも１つのプロセッサは、
チャネルフィードバックを報告するための要求を受信することと、ここにおいて、前記要求は、第２のフォーマットとは異なる第１のフォーマットを前記要求が使用することを特定するインジケータを含み、前記インジケータは、前記第２のフォーマットによって定義された局（ＳＴＡ）情報フィールドのビットに対応し、
前記要求から、チャネル帯域幅の一部分についての前記チャネルフィードバックを報告することに関連した１つまたは複数のパラメータを決定することと、
前記１つまたは複数のパラメータに基づいて前記チャネルフィードバックを生成することと、
前記要求に応答して前記チャネルフィードバックを送信することと
を行うための前記チャネルフィードバック命令を実行するように構成される、装置。
［Ｃ２０］
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、［Ｃ１９］に記載の装置。
［Ｃ２１］
前記少なくとも１つのプロセッサは、前記要求におけるサウンディングダイアログトークン中のビットに少なくとも部分的に基づいて前記要求が前記第１のフォーマットのものであることを決定するための前記チャネルフィードバック命令を実行するようにさらに構成される、［Ｃ１９］に記載の装置。
［Ｃ２２］
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、［Ｃ２１］に記載の装置。
［Ｃ２３］
前記少なくとも１つのパラメータは、前記チャネルフィードバックを報告するための部分帯域幅を示し、ここにおいて、前記少なくとも１つのプロセッサは、前記部分帯域幅についての前記チャネルフィードバックを決定することに少なくとも部分的に基づいて、前記チャネルフィードバックを生成するための前記チャネルフィードバック命令を実行するように構成される、［Ｃ１９］に記載の装置。
［Ｃ２４］
前記要求は、前記部分帯域幅の始点リソースユニットおよび終点リソースユニットを示す、［Ｃ２３］に記載の装置。
［Ｃ２５］
前記要求は、前記チャネルフィードバックを報告するためのトーングループ化ファクタを示し、前記少なくとも１つのプロセッサは、前記トーングループ化ファクタに基づいて前記チャネル帯域幅中のサブキャリアの一部分についての前記チャネルフィードバックを生成するための前記チャネルフィードバック命令を実行するように構成される、［Ｃ１９］に記載の装置。
［Ｃ２６］
チャネルフィードバックを報告するための方法であって、
局（ＳＴＡ）によって、アクセスポイントから、チャネルフィードバックを報告するための要求を受信することと、ここにおいて、前記要求は、第２のフォーマットとは異なる第１のフォーマットを前記要求が使用することを特定するインジケータを含み、前記インジケータは、前記第２のフォーマットによって定義されたＳＴＡ情報フィールドのビットに対応し、
前記ＳＴＡによっておよび前記要求から、チャネル帯域幅の一部分についての前記チャネルフィードバックを報告することに関連した１つまたは複数のパラメータを決定することと、
前記ＳＴＡによって、前記１つまたは複数のパラメータに基づいて前記チャネルフィードバックを生成することと、
前記ＳＴＡによって、前記アクセスポイントに、前記要求に応答して前記チャネルフィードバックを送信することと、
を備える、方法。
［Ｃ２７］
前記インジケータは、前記要求における前記ＳＴＡ情報フィールドの最上位ビット（ＭＳＢ）に対応し、前記インジケータは、前記第２のフォーマットを使用して通信するＳＴＡに割り当てられたアソシエーション識別子と一致しない値に設定される、［Ｃ２６］に記載の方法。
［Ｃ２８］
前記要求におけるサウンディングダイアログトークン中のビットに少なくとも部分的に基づいて前記要求が前記第１のフォーマットのものであることを決定することをさらに備える、［Ｃ２６］に記載の方法。
［Ｃ２９］
前記第１のフォーマットは、米国電気電子学会（ＩＥＥＥ）８０２．１１ａｘに関連付けられ、前記第２のフォーマットは、ＩＥＥＥ８０２．１１ａｃに関連付けられる、［Ｃ２８］に記載の方法。
［Ｃ３０］
前記少なくとも１つのパラメータは、前記チャネルフィードバックを報告するための部分帯域幅を示し、ここにおいて、前記チャネルフィードバックを生成することは、前記部分帯域幅についての前記チャネルフィードバックを決定することに少なくとも部分的に基づく、［Ｃ２６］に記載の方法。